(57)【要約】患者の皮膚表面上に載置された皮膚パッチを非侵襲的に調査することによって患者の検体計測結果を記録することを介し、サービス提供者によってユーザのために実装される、患者モニタシステム。該システムは、血中グルコースレベルの計測等、患者からの検体を計測するためのデバイスを提供するために、入力モジュールを含む。計測結果は、コンピュータ、携帯情報端末（ＰＤＡ）、セルラ電話、およびポケットベル等、静置されているか、または医者、患者、研究者、薬局、研究室、および医療保険会社等の種々のユーザによって保持されている複数の出力デバイス間で共有される。また、プロファイルを生成するために、挙動属性が記録され、検体計測結果と相関される。プロファイルは、出力デバイスに対応するユーザプロファイルに基づいて、出力デバイスへ選択的に送信される。
2009539491.tif 000002
【特許請求の範囲】
【請求項１】
患者をモニタする方法であって、
患者の皮膚表面上に載置されたパッチから、該患者の生理的属性を計測することと、
該属性を１人以上のユーザに伝送することと
を含む、方法。
【請求項２】
計測することは、前記患者の血中グルコースレベルを計測することを含む、請求項１に記載の方法。
【請求項３】
計測することは、電気化学センサによって前記属性を計測することを含む、請求項１に記載の方法。
【請求項４】
前記患者のプロファイルを生成するために、１つ以上の属性を処理することをさらに含む、請求項１に記載の方法。
【請求項５】
前記患者のプロファイルを生成する際に、前記属性を１つ以上の挙動属性と相関させることをさらに含む、請求項１に記載の方法。
【請求項６】
認証されていないアクセスを防止するために、前記プロファイルを暗号化することをさらに含む、請求項５に記載の方法。
【請求項７】
伝送することは、無線で前記属性を伝送することを含む、請求項１に記載の方法。
【請求項８】
無線で伝送することは、セルラ電話を介して前記属性を伝送することを含む、請求項７に記載の方法。
【請求項９】
無線で伝送することは、無線伝送デバイスを介して前記属性を伝送することを含む、請求項７に記載の方法。
【請求項１０】
伝送することは、ネットワークを介して前記属性を伝送することを含む、請求項１に記載の方法。
【請求項１１】
患者をモニタする方法であって、
非侵襲性計測デバイスによって該患者の皮膚表面上に載置された皮膚パッチを調査することと、
該皮膚パッチからの計測結果を該患者の生理的属性と相関させることと、
該属性を１人以上のユーザに伝送することと
を含む、方法。
【請求項１２】
調査することは、前記皮膚パッチを電気化学的に調査することを含む、請求項１１に記載の方法。
【請求項１３】
調査することは、前記患者の血中グルコースレベルを計測することを含む、請求項１１に記載の方法。
【請求項１４】
相関させることは、前記患者のプロファイルを生成するために、前記計測結果を処理することを含む、請求項１１に記載の方法。
【請求項１５】
認証されていないアクセスを防止するために、前記プロファイルを暗号化することをさらに含む、請求項１４に記載の方法。
【請求項１６】
伝送することは、無線で前記属性を伝送することを含む、請求項１１に記載の方法。
【請求項１７】
無線で伝送することは、セルラ電話を介して前記属性を伝送することを含む、請求項１６に記載の方法。
【請求項１８】
伝送することは、ネットワークを介して前記属性を伝送することを含む、請求項１１に記載の方法。
【請求項１９】
調査することの前に、前記皮膚表面上のマーカーの存在を探すことにより、前記計測を進めるか否かを判断することをさらに含む、請求項１１に記載の方法。
【請求項２０】
１人以上の受信者間に情報を配信するための患者モニタシステムであって、
患者の皮膚表面上に載置された皮膚パッチを非侵襲的に調査することを介して、該患者の少なくとも１つの属性を計測するように構成される検体モニタデバイスと、
該少なくとも１つの属性を処理し、該患者のプロファイルを生成してそれを１人以上の受信者に伝送するためのデータ処理ユニットと
を備える、システム。
【請求項２１】
前記プロファイルは、ネットワークを介して伝送される、請求項２０に記載のシステム。
【請求項２２】
前記プロファイルは、無線で伝送される、請求項２０に記載のシステム。
【請求項２３】
前記プロファイルは、受信者パラメータに基づいて伝送される、請求項２０に記載のシステム。
【請求項２４】
前記プロファイルへの受信者アクセスを検証するために、セキュリティモジュールをさらに備える、請求項２０に記載のシステム。
【発明の詳細な説明】
【技術分野】
【０００１】
（関連出願の参照）
本出願は、２００３年８月１日に出願された米国特許出願第１０／６３２，９９１号の一部継続出願であり、該特許出願は２００１年４月２７日に出願された米国特許出願第０９／８４４，６８７号（現在は米国特許第６，７４８，２５０  Ｂ１号）の継続出願であり、これらの出願の各々が本明細書にその全体が参照により援用される。
【０００２】
（発明の分野）
本発明は、概して、患者情報およびケアの患者への送達を改良するためのデバイスおよび方法に関し、特に、非侵襲性モニタシステムを利用して生理的情報を患者および患者のサービス提供者に送達することに関与するトランザクションに関する。
【背景技術】
【０００３】
（発明の背景）
多数の疾患が、患者の種々の生理的属性のモニタを必要とする。血中グルコースレベルおよびその他の血液検体レベル等、これらの属性は、患者、ならびに医者、医療従事者、薬局、研究者、保険会社、および政府系機関等の医療サービス提供者にとって、非常に貴重なものである。
【０００４】
特に、糖尿病を患っている患者において、血中グルコースのレベルをモニタすることは、患者の健康を制御し、制御されていない血中グルコースによる有害な作用を減少または遅延させる上で極めて重要である。糖尿病は、身体がインスリンを産生しない、または適切に使用せず、それが細胞膜を越える血液からのグルコースの取り込み増大をもたらす疾患である。米国においては、約１６００万人が糖尿病である。米国糖尿病協会は、糖尿病が米国における死亡原因の第７位であることを報告している。この疾患の合併症は、失明、腎臓病、神経疾患、心臓病、および死亡を含む。
【０００５】
具体的には、糖尿病の場合、種々の生理的属性をモニタすることが糖尿病患者にとって不可欠である。例えば、患者が頻繁な血中グルコースの自己モニタ（Ｓｅｌｆ−Ｍｏｎｉｔｏｒｉｎｇ  ｏｆ  Ｂｌｏｏｄ  Ｇｌｕｃｏｓｅ；ＳＭＢＧ）を実践することは不可欠である。血液中におけるグルコースのレベルに基づいて、個人は、注射前にインスリン投与量決定を行うことができる。血中グルコースの傾向をある期間にわたってモニタすることは、ヘルスケア提供者に、治療法の妥当性に関する非常に貴重な情報、患者のコンプライアンス、および疾患の経過を提供する。しかしながら、従前のグルコースモニタのシステムは、通常、指先穿刺（侵襲的方法）によって血液を得ること、または体液（血液以外）および皮下組織を得る（同じく侵襲的方法）ことを必要とするものであった。
【０００６】
それぞれ本出願の譲受人によって所有されており、参照することによってその全体が本明細書に援用される、特許文献１（Ｂｅｒｍａｎほか）および特許文献２（Ｐｅｙｓｅｒほか）において示されているような非侵襲性グルコースモニタシステムの例は、糖尿病患者から血中グルコース情報を非侵襲的に収集するための解決策を提供する。侵襲的技術ではなく非侵襲的技術を使用することは、連続モニタへの著しく良好な近似を可能にし、ひいては、糖尿病患者のヘルスケア改良に著しく寄与し得る。非侵襲性グルコース計測デバイスを利用する光学ベースの患者モニタシステムの他の例は、特許文献３（Ｂｅｒｍａｎほか）および特許文献４（Ｂｅｒｍａｎほか）にも示されており、そのそれぞれもまた本譲受人によって所有されており、参照することによりその全体が本明細書に援用される。
【先行技術文献】
【特許文献】
【０００７】
【特許文献１】米国特許第６，４２４，８５１号明細書
【特許文献２】米国特許出願公開第２００６／０００４２７１号明細書
【特許文献３】米国特許第６，７４８，２５０号明細書
【特許文献４】米国特許出願公開第２００４／００９７７９６号明細書
【発明の概要】
【発明が解決しようとする課題】
【０００８】
したがって、モニタされた情報の共有のための媒体を提供するために、その他の非侵襲性グルコース計測デバイスに対して影響力を持つモニタシステムを有することが有利である。
【課題を解決するための手段】
【０００９】
（発明の簡単な概要）
一変形形態に従う患者モニタシステムは、１つ以上の非侵襲性検体モニタデバイスと、データ処理および格納ユニットと、１つ以上の情報受信者とを有し得る。システムのすべての要素は、ネットワークまたは無線プロトコルを介して互いに通信を行うために、連接されていてもよい。
【００１０】
データ処理および格納ユニットは、ユーザの生理的および挙動属性を整理および処理するモニタシステムをユーザのために実装し、情報受信者へのこれらの属性の伝送を可能にすることができる。場合によって、データ処理および格納ユニットは、患者の状態が、患者の介護士または医師によって規定され得る許容限界から外れた場合、Ｅメール、電話、またはファクス等による自動的な警告を、患者または情報受信者に送信するようにプログラミングされ得る。
【００１１】
概して、１人以上の受信者間に情報を配信するための患者モニタシステムは、一般に、患者の皮膚表面上に載置された皮膚パッチを非侵襲的に調査することを介して患者の少なくとも１つの属性を計測するように構成される検体モニタデバイスと、少なくとも１つの属性を処理し、患者のプロファイルを生成してそれを１人以上の受信者に伝送するためのデータ処理ユニットとを備え得る。
【００１２】
患者をモニタする一方法は、概して、患者の皮膚表面上に載置されたパッチから、患者の生理的属性を計測することと、該属性を１人以上のユーザに伝送することとを含み得る。より具体的には、その他の方法は、概して、非侵襲性計測デバイスによって患者の皮膚表面上に載置された皮膚パッチを調査することと、皮膚パッチからの計測結果を患者の生理的属性と相関させることと、該属性を１人以上のユーザに伝送することとを含み得る。
【図面の簡単な説明】
【００１３】
【図１】図1は、患者モニタシステムの一例のブロック図である。
【図２】図２は、非侵襲性モニタデバイス２１０、処理ユニットおよび格納システム５１０、ならびに情報受信者６００の内部アーキテクチャの、より詳細な図解を示す図である。
【図３】図３は、情報をモニタデバイスに登録するフローチャートを示す図である。
【図４】図４は、モニタデバイスからデータ処理および格納システムへの段階的な情報フローの一例を示す図である。
【図５】図５は、データ処理ユニット内における情報処理のフローチャートである。
【発明を実施するための形態】
【００１４】
（発明の詳細な説明）
図１を参照すると、一変形形態に従う患者モニタシステムの要素は、１つ以上の非侵襲性検体モニタデバイス１１０、２１０、３１０、４１０と、データ処理および格納ユニット５１０と、診療所６１０、研究者６２０、薬局６３０、病院／研究室６４０、保険提供者６５０、政府系機関６６０、患者６７０、家族６８０、および／または保健維持機構６９０等の例示的な受信者を含み得るがこれらに限定されない１つ以上の情報受信者６００とを有し得る。システムのすべての要素は、ネットワークまたは無線プロトコル５０を介して互いに通信を行うために、連接されていてもよい。
【００１５】
図２においてさらに詳細に示すように、データ処理および格納ユニット５１０は、ユーザの生理的および挙動属性を整理および処理するモニタシステムをユーザのために実装し、情報受信者６００へのこれらの属性の伝送を可能にすることができる。場合によって、データ処理および格納ユニット５１０は、患者の状態が、患者の介護士または医師によって規定され得る許容限界から外れた場合、Ｅメール、電話、またはファクス等による自動的な警告を、患者または情報受信者に送信するようにプログラミングされ得る。
【００１６】
ユーザが糖尿病患者であるシステムの一例において、ユーザは、皮膚表面に導かれるグルコースを捕集および貯留する皮膚パッチ２１２からのグルコースを計測するように構成される方法およびデバイス２１１に基づいて、非侵襲性検体モニタシステム２１０を利用することができる。皮膚パッチ２１２から得られるグルコースを利用する非侵襲性検体モニタシステム２１０の例は、上記で参照することにより援用される米国特許出願公開第２００６／０００４２７１  Ａ１号明細書（Ｐｅｙｓｅｒほか）においてさらに詳細に見ることができる。概して、パッチ２１２は、指、手掌、手首、前腕等、任意の適切な皮膚表面上に載置され得る。そのようなパッチ２１２は、概して、捕集層と、検出器と、パッチ２１２をユーザの皮膚表面に接着するための接着剤層とを有し得る。検出器は、概して、ポリマーベースの乾式電気化学センサ、マイクロ流体パッケージ、グルコース感受性蛍光分子またはポリマー内の湿式電子酵素センサ等、ナノグラム量のグルコースを検出することができる幾つもの検出器を含み得る。捕集層は、患者の発汗速度の影響を最小限に抑える助けとするために、概して固定容積リザーバを備え得る。
【００１７】
計測デバイス２１１は、概して、パッチ２１２からのグルコースを調査および計測し、この計測結果をグルコースレベルに変換するための感度の高い計測機構を備え得る。デバイス２１１は、概して、パッチ２１２から捕集されたグルコースを調査および検出するために使用される調査機構２１３を含んでもよい。調査機構２１３の種類は利用されるパッチ２１２の種類によって決まる場合があり、例えば、パッチ２１２が電気化学的検出器として構成されている場合、それに対応して調査機構２１３は電気化学センサとして構成され得る。
【００１８】
概して、ユーザの皮膚表面へのパッチ２１２の適用前に、皮膚に残っているいかなる残存グルコースも除去するために、皮膚をきれいに拭き取ってもよい。拭き取り材は、溶媒を吸収する、またはその中に溶媒を含浸させることができる幾つもの支持材、例えば、あらゆる種類の繊維、織物、不織物、布、パッド、ポリマー、または繊維状混合物等を含み得る。拭き取り材に吸収された溶媒は、一般に、溶媒、マーカー、またはグルコースの計測に干渉する恐れがあるその他の化学物質を含有しない。極性溶媒、例えば蒸留水とアルコールとの混合物を利用してもよい。
【００１９】
いくつかの変形形態において、拭き取り材は、パッチ載置前に皮膚に沈着されたマーカーを含有してもよい。マーカーは、短期間後に崩壊するように短い半減期を有する化学物質を含んでもよいし、あるいは、マーカーは、短期間内で蒸発するように作製された揮発性化合物に結合されてもよい。そのようなマーカーは、デバイス２１１によって検出可能なように、拭き取り材によって皮膚に沈着され得る。デバイス２１１によってマーカーが検出された場合には計測を進めることができるが、マーカーが検出されない場合には計測が進まない。このように、ユーザは、皮膚が適切に拭き取られなかったことの何らかの指示を有することができ、誤っている可能性のあるあらゆる読み取りが防止され得る。
【００２０】
デバイス２１１は、計測されたデータを分析し、グラフィックディスプレイ２１５によってユーザに表示するために情報を処理するためのプロセッサ２１４を含んでもよく、これは、多種多様なその他の情報を表示するためにも利用され得る。デバイス２１１は、検出されたグルコース対血中グルコース値の計測値に関する、較正モジュール２１７を含有するコンピュータ実行可能コードを含んでもよい。さらに、デバイス２１１内の格納モジュール２１６は、計測結果およびユーザ関連情報を格納するために利用されることができ、これらは、ボタンおよび他の種類のユーザインタフェース機構等の多数の入力／出力モジュール２１８を介して入力され得る。
【００２１】
代替的におよび／または付加的に、ユーザは、入力／出力モジュール２１８を介して、検体計測と直近の食事との間の時間長、検体計測と直近の運動セッションとの間の時間長、検体計測と直近の休憩セッションとの間の時間長、薬剤服用の時間および投与量等の挙動属性を入力することもできる。これらの挙動属性は、血中グルコース計測の解釈に影響を及ぼす場合がある。例えば、血中グルコースレベルは、食事を摂ったばかりのユーザではより高くなる傾向がある。したがって、挙動属性を追加することにより、システム２１０はユーザの健康のより良好なプロファイルを情報受信者６００に提供することができる。また、ユーザは、心拍数、血圧等、他の生理的属性を含むために入力／出力モジュール２１８を利用してもよい。場合によって、入力／出力モジュール２１８は、エネルギー使用を判断する活動センサおよび／または酸素消費量等の代謝率を計測する代謝活動センサを備えてもよい。
【００２２】
さらに、検体システム２１０の出力モジュール２１８は、患者のためのメッセージング端末としての役割を果たすことができる。これらのメッセージは、検体計測結果、挙動属性、生理的属性等が、患者、患者の介護士、および／または患者の医師によって規定される正常範囲から外れた場合に、患者に警告する自動警告として構成され得る。これらのメッセージは、検体デバイス２１１自体によって、または情報受信者のいずれか１つから、生成され得る。例えば、処方した薬物投与量の効果が患者に出ていないと患者の医師が判断した場合、医師は、入力／出力モジュール２１８を介してディスプレイ２１５にメッセージを送信し、患者に、投与量を変更するように要求すること、または診察のための診療所への訪問を要求することができる。
【００２３】
検体計測結果、挙動属性、および生理的属性はすべて、図５においてさらに詳細に記載する、処理および格納のためのデータ処理および格納ユニット５１０に伝達される。これらの属性は、インターネット、ローカルエリアネットワーク（ＬＡＮ）および／もしくはワイドエリアネットワーク（ＷＡＮ）等、無線および／もしくは有線のネットワーク、またはその他のネットワークインフラ５０を介してデータ処理および格納ユニット５１０へ送信される。一変形形態において、モニタデバイス２１１は、独自の無線伝送モジュールを有する。無線伝送の代替的な変形形態において、モニタデバイス２１１は、伝送を可能にするために、セルラ電話、ポケットベル、または無線モデム等の無線デバイスに連結される。場合によって、捕集されている大量のデータにより、モニタデバイス２１１は患者の自宅、診療所、または病院内に位置するローカル端末およびストレージへすべての情報を送信することができる。ローカル端末への情報は、短距離ラジオ周波数（ＲＦ）リンク（例えば、Ｂｌｕｅｔｏｏｔｈ）上で伝送され得る。その後、ローカル端末に格納された情報は処理ユニット５１０に伝達されることになる。
【００２４】
モニタデバイス２１１と処理ユニット５１０との間に通信が確立された後、処理ユニット５１０内のアカウントマネージャ５１２がユーザアカウントにアクセスし、セキュリティモジュール５１１がパスワードまたはその他任意のセキュリティ手段によってユーザＩＤを検証する。検証後、属性は、ユーザの検体計測結果およびその他の生理的属性を格納する生理的データベース５１３、ならびにユーザの挙動属性を格納する挙動データベースへ伝送され、整理される。アカウントマネージャ５１２は、ユーザ選択の情報受信者６００、およびそれぞれ特定の情報受信者と関連付けられた受信者パラメータを含む、情報受信者データベース５１５とも通信を行う。本明細書に記載されるようなこれらの「受信者パラメータ」は、血中グルコースレベルの報告、血中グルコースレベルがある一定の最大値または最小値に到達した場合に警告するためのＥメール、挙動と血中グルコースとの相関関係の報告等の「情報の種類」、毎週、毎月、または毎四半期等の「情報の時間」、グラフィック表現またはテキスト等の「フォーマットの種類」、ならびに、情報を医者および患者のパーソナルコンピュータへ送信する、または緊急の場合に家族へ送信する等の「情報受信者」を含み得る、ユーザ属性の伝送を指示する要件である。
【００２５】
ユーザの属性を収集し、該属性を処理し、該属性を対応する情報受信者へ伝送するプロセスは、ユーザの登録を示す図３、ユーザの属性の収集を示す図４、ならびに属性のデータ処理および伝送を示す図５において詳細に説明する。
【００２６】
図３は、ユーザ登録において起こるイベントを示す。ユーザは、モニタデバイス２１１、または処理ユニット５１０との通信を可能にする任意の計算機を介して登録することができる。ユーザが登録していない場合、ユーザログインおよびアカウント登録が開始３０００される。ユーザは、アカウント情報（例えば、氏名、住所、生年月日、以前の病歴、またはモニタデバイスの製造番号）を提供する。続いてユーザは、検体計測結果読み取り、生理的および挙動属性の分析および追跡、情報受信者間での情報の伝送、または上述のサービスの任意の組み合わせ等、必要なサービスの種類を選択３２００することにより、特定のサービス（例えば、血中グルコースレベルをモニタすることまたはアルコールレベルをモニタすること）に関連するデータのセットであるプロファイルを作成３１００する。サービスが選択３２００された後、ユーザは、追跡するための１つ以上の生理的属性３３００と、計測すべき１つ以上の検体３４００と、追跡するための１つ以上の挙動属性３５００とを選択する。ステップ３２００において受信者間での情報伝送が選択された場合、ユーザは、すべての受信者の情報および受信者パラメータ３６００を入力する必要がある。プロファイルは、モニタデバイス２１１の格納モジュール２１６内、および処理ユニット５１０のアカウントマネージャ５１２内にあるプロファイルデータベース５１６内に格納され得る。あるいは、プロファイルは、格納モジュール２１６またはアカウントマネージャ５１２のいずれかに格納されてもよい。プロファイルが完成３７００し、データ処理ユニットは、パスワードによる確認をユーザおよびその受信者のリストに送信する。あるいは、ユーザは、同じアカウント内に多数のプロファイルを作成してもよい。
【００２７】
ユーザ登録後、ユーザは、自身のデバイスを利用して生理的および挙動属性を収集することができ、これを図４に示す。ユーザは登録からのパスワードを用いてデバイス２１１へログイン４０００し、ユーザアカウントは入力モジュールによって提示４１００される。あるいは、ユーザログインは、音声認識または指紋によって実現され得る。ユーザは、所望のプロファイルを選択４２００する。挙動入力が必要な場合、ユーザは、「検体計測と直近の食事との間の時間長」、「検体計測と直近の運動セッションとの間の時間長」、「検体計測と直近の休憩セッションとの間の時間長」、または「計測前に他の薬物またはアルコールが摂取されたか」等の挙動属性を入力４３００する。挙動属性が必要ない場合、ユーザには、検体計測を選択する機会が提示される。選択する場合、ユーザは、計測すべき所望の検体４４００を選択し、較正が必要な場合、較正器モジュールが開始されてプロセッサ２１４を較正４５００する。
【００２８】
拭き取り材によってマーカーが皮膚表面上に沈着されている変形形態において、ユーザが計測すべき所望の検体を選択４４００すると、デバイス２１１は、マーカーの存在を検出するために、最初に皮膚パッチ２１２を調査し得る。マーカーが検出された場合、必要に応じて検体較正を開始することができ、そうでなく、マーカーが検出されない場合、不適切に拭き取られた皮膚表面を示し、デバイス２１１によってそのようなマーカーが検出されるまで、計測を進めることが防止される。
【００２９】
較正が完了すると、ユーザは、皮膚パッチから計測結果を得る４６００ことができ、検体計測生成器は、検体レベルを記録４７００および算出する。検体計測のみが選択され、処理が必要ない場合、ディスプレイ２１５は計測結果を表示することになる。さらなる処理が必要な場合、データは処理ユニットへ送信４８００され、図５において詳細に示すように、データが処理される。
【００３０】
図５において、データ処理ユニット５１０は、モニタデバイスからの伝送を受信５１００する。ユーザはセキュリティモジュールによって検証５２００され、ユーザアカウントはアカウントマネージャによってアクセス５３００される。伝送が既存のプロファイルに関係するものである場合、データが転送され、アカウントマネージャ内のプロファイルデータベースが更新５７００される。伝送が新しいプロファイルに関係するデータからなる場合、新しいプロファイルは処理ユニットによって作成５４００され、データが転送５５００される。その後、処理ユニットは、挙動および生理的関係によるデータを整理して受信者パラメータと相関５６００させ、アカウントマネージャ内のプロファイルデータベースを更新５７００する。プロファイルデータベースを更新５７００した後、アカウントマネージャは、受信者パラメータに基づいて、各受信者に対応する時間に、対応する報告およびプロファイルを送出５８００することに関与する。あるいは、報告およびプロファイルは暗号化され、アクセスは、認証されていない使用を防止するために、有効なパスワードを有する受信者にのみ許可される。
【００３１】
本発明の前述の実施形態は、図解および説明として提示されている。これらは、本発明を記載されている正確な形態に限定することを意図するものではない。特に、本明細書に記載されている本発明の機能的実装は、ハードウェア、ソフトウェア、ファームウェア、および／または他の利用可能な機能コンポーネントもしくは構築ブロックにおいて同等に実装され得ることが考慮されている。上記教示の観点から、その他の変形形態および実施形態が可能であり、したがって、本発明の範囲は、この発明を実施するための最良の形態によってではなく、むしろ下記の特許請求の範囲によって限定されることが意図されている。
【図１】
2009539491.tif 000003
【図２】
2009539491.tif 000004
【図３】
2009539491.tif 000005
【図４】
2009539491.tif 000006
【図５】
2009539491.tif 000007
【国際調査報告】
2009539491.tif 000008